【手続補正書】
【提出日】平成16年12月14日(2004.12.14)
【手続補正１】
【補正対象書類名】明細書
【補正対象項目名】全文
【補正方法】変更
【補正の内容】
【書類名】      明細書
【発明の名称】  赤目緩和装置付きカメラ
【特許請求の範囲】
【請求項１】
第１のレリーズスイッチの操作に応じてプリ照射を開始する赤目緩和用光源と、
第２のレリーズスイッチの操作に応じて照射する閃光発光装置と、
時間計測手段と、
前記プリ照射を開始後の所定時間、第２のレリーズスイッチの操作の受け付けを禁止する手段と、を有するカメラにおいて、
前記第１のレリーズスイッチの操作が解除された後、再び操作されるまでの時間を計測する計時手段と、
予め設定された時間よりも、前記計時手段により計測された時間が短い場合に、前記第２のレリーズスイッチの操作の受け付けを禁止する時間を変更させる禁止時間変更手段と、を備えることを特徴とする赤目緩和装置付カメラ。
【請求項２】
前記禁止時間変更手段は、前記第２のレリーズスイッチの操作の受け付けを禁止する時間を短くすることを特徴とする請求項１に記載の赤目緩和装置付カメラ。
【請求項３】
前記赤目緩和用光源はランプであることを特徴とする請求項１記載の赤目緩和装置付カメラ。
【請求項４】
前記第１のレリ−ズスイッチおよび前記第２のレリーズスイッチが、２段階のスイッチで構成されていることを特徴する請求項１記載の赤目緩和装置付カメラ。
【発明の詳細な説明】
【０００１】
【発明の属する技術分野】
本発明は、赤目緩和装置付カメラの赤目緩和装置のシ−ケンスに関するものである。
【０００２】
【従来の技術】
従来カメラの赤目緩和装置使用時のレリ−ズタイミングは、レリ−ズスイッチが第１ストロ−クと第２ストロ−クでオンするスイッチを有するカメラで、第１ストロ−クスイッチがオンされると赤目緩和用プリ照射光源が点灯すると同時に所定時間（Ｔ１）以上経過しないと第２ストロ−クスイッチがオンされても第２ストロ−クを受けつけない。又、第１ストロ−クスイッチを押しっぱなしで、所定時間（Ｔ１）経過にかかわらず、第１ストロ−クスイッチがオフされると、タイマ−をリセットし、再度、第１ストロ−クスイッチをオンした時に、所定期間（Ｔ１）を計測し、その間第２ストロ−クスイッチを受けつけないように構成されている。
【０００３】
【発明が解決しようとする課題】
しかしながら、上記従来例では、レリ−ズスイッチを１度オフすると、赤目緩和用プリ照射光源点灯時間のタイマ−をリセットするように構成されている為に、第１ストロ−ク、第２ストロ−クスイッチをオンしても、赤目緩和モ−ド時は、所定時間プリ照射光源を点灯させる時間のレリ−ズ動作までのタイムラグが発生する欠点があった。
【０００４】
ちなみに、所定時間（Ｔ１）は、人物の瞳孔の大きさが最小となるように１秒〜２秒程度の時間を必要する。
【０００５】
本出願に係る発明の目的は、赤目緩和装置を使用時に、レリ−スタイムラグを少なくすることのできる赤目緩和装置付カメラを提供することである。
【０００６】
【課題を解決するための手段】
本発明の赤目緩和装置付きカメラは、第１のレリーズスイッチの操作に応じてプリ照射を開始する赤目緩和用光源と、第２のレリーズスイッチの操作に応じて照射する閃光発光装置と、時間計測手段と、前記プリ照射を開始後の所定時間、第２のレリーズスイッチの操作の受け付けを禁止する手段とを有するカメラにおいて、前記第１のレリーズスイッチの操作が解除された後、再び操作されるまでの時間を計測する計時手段と、予め設定された時間よりも、前記計時手段により計測された時間が短い場合に、前記第２のレリーズスイッチの操作の受け付けを禁止する時間を変更させる禁止時間変更手段とを備えるものである。
【０００７】
【発明の実施の形態】
図１、図２は本発明の一実施の形態を示すブロック図及びその動作を示すフロ−チャ−トである。図１において、１は電源であるところの電池、２はカメラの動作を制御するＣＰＵ、３は第１と第２のストロ−クを有するレリ−ズスイッチにおける第１のストロ−クでオンするスイッチ、４は前記レリ−ズスイッチの第２のストロ−クでオンするスイッチ、５は赤目緩和用プリ照射用光源であるランプ、６は光源であるランプ５を駆動するトランジスタ、７はトランジスタ６のベ−スとエミッタ間のプルアップ用の抵抗、８はトランジスタ６のベ−ス電流制限用抵抗、９は時間を計時する計時手段、１０はカメラの閃光発光装置（ストロボ）、１１はカメラの各アクチェ−タを駆動するアクチェ−タ駆動手段、１２は主被写体の輝度を測光する測光手段、１３はカメラに必要なデ−タを記憶する記憶手段である。
【０００８】
上記の構成において、図２のフロ−チャ−トに従って本発明のシ−ケンスを説明する。
【０００９】
なお、図２のステップを“Ｓ”と略す。
【００１０】
まず、Ｓ１０１は、図１中のスイッチ３の確認を行う。
【００１１】
スイッチ３がオンされるとＳ１０２へ進む。また、スイッチ３がオフの場合は、スイッチ３がオンされるまでＳ１０１で待機状態となる。Ｓ１０２では、図１中の測光手段１２を利用し、主被写体の輝度を測光する。Ｓ１０３では、Ｓ１０２で得られた測光値を、あらかじめ設定してある輝度と比較し、明るいか暗いかを判断する。明るい場合は、Ｓ１１９へ進む。暗い場合は、Ｓ１０４へ進む。Ｓ１０４では、主被写体輝度が暗いと判断したため、図１中の閃光発光装置１０への充電を行う。次に、Ｓ１０５へ進み、まず、図１中のデ−タ記憶手段１３のタイマ−（計時）デ−タをリセットする。ここでのタイマ−デ−タを仮に、Ｔ１’とすると、Ｔ１’を“０”に設定する。Ｓ１０６では、赤目緩和に効果の有る時間（あらかじめ設定してある時間）をタイマ−打ち切り時間Ｔ１として設定する。Ｓ１０７では、Ｓ１０６での所定時間と、Ｓ１０５でのタイマ−デ−タＴ１’を計算し、再度Ｔ１として設定しなおす。これは、初期の動作ではＳ１０６と、Ｓ１０７のＴ１という時間が同じとなる。
【００１２】
計算式は、Ｔ１＝Ｔ１−Ｔ１’
ここでＴ１’＝“０”である為、Ｔ１＝Ｔ１となる。それと同時にタイマ−をスタ−トさせる。
【００１３】
Ｓ１０８では、図１中の赤目緩和用プリ照射光源であるランプ５を点灯させる。Ｓ１０９では、ランプ点灯後、主レリ−ズスイッチである図１中の第２ストロ−クスイッチ４がオンされたか否かを判断する。この状態でオンの場合は、Ｓ１１０へ進み、オフの場合は、Ｓ１１１へ進む。Ｓ１１０では、Ｓ１０７で設定したタイマ−デ−タＴ１時間が完了したか否かを判断し、完了時はＳ１１７へ進む。未完了時はＳ１０８へ戻る。
【００１４】
Ｓ１１７に進むとランプ５を消灯し、Ｓ１１８へ進む。Ｓ１１８では、カメラの主レリ−ズ動作を行い、Ｓ１２０へ進む。Ｓ１２０では、Ｓ１０５、１０６で設定されているＴ１’及びＴ１タイマ−をリセットし、初期のスイッチ受け付け待機状態に戻る。
【００１５】
これは、赤目緩和機能を通常動作させた場合の主レリ−ズ動作である。
【００１６】
また、Ｓ１０３において、Ｓ１０２で得られた測光値が予め設定してある輝度と比較して明るいと判断したときは、Ｓ１１９に進み、閃光発光装置を用いずにレリ−ズ動作を行う（Ｓ１１９）。
【００１７】
次に、本発明の特徴であるシ−ケンスを説明する。
【００１８】
図２中のＳ１０９で、主レリ−ズ動作開始用のスイッチであるスイッチ４がオフの場合Ｓ１１１へ進む。
【００１９】
Ｓ１１１では、第１ストロ−クでオンするスイッチ３がオンされているかどうかを判断する。オンの場合は、Ｓ１０８へ戻り、オフの場合は、Ｓ１１２へ進む。ここで、Ｓ１０８〜Ｓ１１１では、スイッチ３がオンされて、かつ、スイッチ４がオフの時に、次にスイッチ３がオフされるかスイッチ４がオンされるかを待機している状態となる。
【００２０】
次に、Ｓ１１２では、スイッチ３がオフされたために、赤目緩和用光源である図１中のランプ５を消灯する。Ｓ１１３では、Ｓ１０７においてタイマ−でカウントした時間Ｔ１’を図１中のデ−タ記憶手段１３に入力する。これは、スイッチ３が押され保持された時間（赤目緩和用光源が点灯していた時間とほぼ等しい）となる。Ｓ１１４では、時間Ｔ2で設定したタイマ−をスタ−トさせる。Ｓ１１５では、Ｔ２で設定したタイマ−のカウント時間が完了したかどうかを判断し、完了の場合はＳ１２０へ進み、再度初期状態となる。未完了の場合は、Ｓ１１６へ進む。Ｓ１１６では、図１中のスイッチ３がオンかオフかを判断する。オフの時は、Ｓ１１５へ戻る。オンの場合は、Ｓ１０７へ進む。このＳ１１４〜Ｓ１１６では、図１中のスイッチ３が１度オフされてから再度オンされるまでの時間が、Ｔ２で設定したタイマ−よりも大きいか小さいかを判断するようにしている。Ｓ１１６でオンの場合のＳ１０７は、Ｔ１＝Ｔ１−Ｔ１’を設定する。つまり、Ｔ１は、赤目緩和の効果に必要な時間、Ｔ１’は、赤目緩和の効果時間より短期間、赤目緩和用光源をオンしていた時間であり、前回の設定していた時間Ｔ１のタイマ−時間よりも短い時間で、時間Ｔ１で設定したタイマ−を設定することになる。上記、フロ−チャ−トを、タイミングチャ−トで表わした図が図３である。
【００２１】
まず、左端から通常動作、本発明の第１の動作、本発明の第２の動作を示す。図３において、通常はスイッチ３のオンとほぼ同時に、赤目緩和用光源を所定の効果のある時間（Ｔ１）点灯させ、スイッチ４のオン確認後、主撮影動作を行う。これにより、図４中のａに示すような、主被写体の瞳孔の絞り具合となりＴ１時間後の撮影で最小径となるようにする。次に、本発明の第１の動作として、図１中のスイッチ３がＴ１’時間少し押された時にほぼ同時に図１中の赤目緩和用光源であるランプ５がＴ１’時間点灯する。この後、図１中のスイッチ４が押される前に、スイッチ３がオフされた場合に、時間Ｔ２で設定したタイマ−をスタ−トさせ、所定の時間Ｔ２経過よりも前に再度スイッチ３が押されると、次に赤目緩和の効果に必要な点灯時間を短くする。ここでは、Ｔ１−Ｔ１’の時間分が赤目緩和用光源のプリ照射点灯時間となり撮影動作を行う。
【００２２】
これは、図４のｂに示すようにＴ１’光源点灯後、Ｔ２時間までは、人間の瞳孔は、絞るという特徴がある為、Ｔ２時間内に再度赤目緩和用光源を点灯させる場合は、瞳孔の最初絞りとなるまでの時間が短くなる。この時間を、もともとのＴ１時間よりも短く出来る。ここでは、Ｔ１−Ｔ１’に設定している。次に本発明の第２の動作として、スイッチ３がオフ後（赤目緩和用光源消灯後）Ｔ２時間以上経過すると、人間の瞳孔は再び開く方向へ行き、赤目緩和用光源の点灯させる前の状態の瞳孔径と同じ大きさになる。
【００２３】
この為に、Ｔ２以上経過すると、通常の動作と変わらず、Ｔ１時間の撮影までのタイムラグ（光源点灯時間）が必要となる。
【００２４】
本実施の形態の効果として、赤目緩和の効果を最大に引き出し、かつ、不要な撮影タイムラグをなくすことが出来る。
【００２５】
【発明の実施の形態との対応】
実施の形態におけるランプ５は、赤目緩和用プリ照射光源に相当し、計時手段９が、時間計測種段位相当し、また、レリ−ズスイッチのうち第１のストロ−クでオンするスイッチ３は、レリ−ズスイッチの第１のスイッチに相当し、第２のストロ−クでオンするスイッチ４は、第２のスイッチに相当する。
【００２６】
【発明の効果】
以上説明したように、本発明によれば、赤目緩和装置を使用時にレリ−ズタイムラグが減少でき、シャッタ−チャンスを逃さなくなる効果がある。
【図面の簡単な説明】
【図１】本発明の一実施の形態を示す回路ブロック図である。
【図２】本発明の一実施の形態に係るフロ−チャ−トである。
【図３】本発明の一実施の形態に係るタイミングチャ−トである。
【図４】本発明の一実施の形態を説明するグラフである。
【符号の説明】
１ 電池
２ ＣＰＵ
３，４ スイッチ
５ ランプ
６ トランジスタ
７，８ 抵抗
９ 計時手段
１０ 閃光発光装置
１１ アクチェ−タ駆動手段
１２ 測光手段
１３ デ−タ記憶手段